(57)【要約】【課題】尻栓の元竿への取付構造に工夫を加えることによって、不測に尻栓が外れて紛失することを防止できる釣り竿の尻栓取付構造を提供する点にある。【解決手段】元竿１の竿尻端部１Ａに、尻栓３を螺着する中間取付体４を固着する。尻栓３を回転操作する為の弾性変形可能な回転操作体２を中間取付体４に自由回転自在に装着する。中間取付体４に取り付けた尻栓３を回転操作体２で被覆し、回転操作体２を摘み変形させて尻栓３に接触可能に構成してある。【選択図】図４
2011030510.tif 000002
【特許請求の範囲】
【請求項１】
元竿の竿尻端部に尻栓を螺着するとともに、前記尻栓を装着した前記竿尻端部に前記尻栓を回転操作する為の回転操作体を自由回転自在にかつ前記尻栓を被覆する状態で装着し、前記回転操作体を摘み変形させて前記尻栓に接触可能な弾性体に構成してある釣り竿の尻栓取付構造。
【請求項２】
元竿の竿尻端部に、尻栓を螺着する中間取付体を固着するとともに、前記尻栓を回転操作する為の弾性変形可能な回転操作体を前記中間取付体に自由回転自在に装着し、前記中間取付体に取り付けた尻栓を前記回転操作体で被覆し、前記回転操作体を摘み変形させて前記尻栓に接触可能に構成してある釣り竿の尻栓取付構造。
【請求項３】
前記元竿の竿尻端と前記回転操作体との間にリング体を介在させて、前記リング体を前記中間取付体に装着してある請求項２記載の釣り竿の尻栓取付構造。
【請求項４】
前記中間取付体における前記元竿の竿尻端部内に内嵌される外周面に、竿軸線方向に平行な凹入溝を、周方向の複数箇所に亘って形成するとともに、前記周方向に沿った環状凹入溝を前記竿軸線方向の複数箇所に形成してある請求項２又は３記載の釣り竿の尻栓取付構造。
【発明の詳細な説明】
【技術分野】
【０００１】
本発明は、元竿の竿尻端に尻栓を取り付けている釣り竿の尻栓取付構造に関する。
【背景技術】
【０００２】
尻栓は、先側に雄ネジ部を形成し、雄ネジ部の後端に摘み操作部が設けてある。一方、元竿の竿尻端の内周面には、尻栓の雄ネジ部を螺着する雌ネジ部が形成してある。元竿の雌ネジ部に尻栓の雄ネジ部を螺着して尻栓を取り付ける。尻栓を元竿に装着した状態で、摘み操作部が元竿の竿尻端より後方に突出する構成を採っている（例えば、特許文献１）。
【先行技術文献】
【特許文献】
【０００３】
【特許文献１】特開２００６−２８８２０５号公報（段落番号〔００１７〕〜〔００１９〕、図２，図５，図６）
【発明の概要】
【発明が解決しようとする課題】
【０００４】
釣りを行っている途中で、針掛かりした魚が横走りしたり、水中に潜り込みを行う場合に、釣り人は魚の動きを抑える（矯める）為に、膝を前方に向けて少し折り曲げ腰を落として腹に尻栓を当て付け、釣り竿を操作することがある。
このような場合には、尻栓の摘み操作部が腹に強く押し付けられているので、釣り人が釣り竿を左右や前後に操作する場合に尻栓が緩み操作されることがある。
また、その他の理由で尻栓が緩みを生じている場合があり、そのことに気付かずに釣りを続けていると、尻栓を紛失することもある。
【０００５】
本発明の目的は、尻栓の元竿への取付構造に工夫を加えることによって、不測に尻栓が外れて紛失することを防止できる釣り竿の尻栓取付構造を提供する点にある。
【課題を解決するための手段】
【０００６】
〔構成〕
請求項１に係る発明の特徴構成は、元竿の竿尻端部に、尻栓を螺着するとともに前記尻栓を回転操作する為の回転操作体を自由回転自在にかつ前記尻栓を被覆する状態で装着し、前記回転操作体を摘み変形させて前記尻栓に接触可能に構成してある点にあり、その作用効果は次の通りである。
【０００７】
〔作用〕
つまり、尻栓と回転操作体を元竿の竿尻端部に取り付けた状態で、尻栓は回転操作体に被覆されているので、他物が尻栓に直接接触することはない。回転操作体が釣り人の体等に接触しても自由回転するだけで、その回転力は尻栓に及ぶことはない。したがって、釣り操作の途中等において、不測に尻栓が緩み操作されることはない。
一方、尻栓を取り付け取り外し操作する場合は、釣り人が回転操作体を摘み操作して回転操作体を弾性変形させて尻栓に接触させることによって、尻栓を回転操作体とともに回転操作することができる。
【０００８】
〔効果〕
したがって、尻栓を操作するものとして自由回転する回転操作体で尻栓を被覆する構成と、釣り人が意思を持って回転操作体を摘み操作しなければ尻栓を操作できない構成との組み合わせによって、尻栓を不測に失うことを防止できる釣り竿の尻栓取付構造を提供することができた。
【０００９】
〔構成〕
請求項２に係る発明の特徴構成は、元竿の竿尻端部に、尻栓を螺着する中間取付体を固着するとともに、前記尻栓を回転操作する為の弾性変形可能な回転操作体を前記中間取付体に自由回転自在に装着し、前記中間取付体に取り付けた尻栓を前記回転操作体で被覆し、前記回転操作体を摘み変形させて前記尻栓に接触可能に構成してある点にあり、その作用効果は次の通りである。
【００１０】
〔作用〕
つまり、中間取付体を介して尻栓と回転操作体を元竿に取り付けた状態で、尻栓は回転操作体に被覆されているので、他物が尻栓に直接接触することはない。回転操作体が釣り人の体等に接触しても自由回転するだけで、その回転力は尻栓に及ぶことはない。したがって、釣り操作の途中等において、不測に尻栓が緩み操作されることはない。
一方、尻栓を取り付け取り外し操作する場合は、釣り人が回転操作体を摘み操作して回転操作体を変形させて尻栓に接触させることによって、尻栓を回転操作体とともに回転操作することによって尻栓を着脱することができる。
【００１１】
〔効果〕
したがって、尻栓を不測に失うことを未然に防止できる。そして、そのような構成を採用する為に、回転操作体と尻栓と元竿とを連結するに中間取付体を設けることによって行ったので、元竿に直接取り付ける場合に比べて、元竿に尻栓を取り付けるためのネジ機構等を設ける必要がなく、元竿は通常の竿の製造工程を維持できる。
これにより、ネジ機構等の製造工程は竿の製造工程とは別個の中間取付体の製造工程によって行うことができ、製造工程の並列化による工程の短縮等が達成できる釣り竿の尻栓構造を提供することができた。
【００１２】
〔構成〕
請求項３に係る発明の特徴構成は、前記元竿の竿尻端と前記回転操作体との間にリング体を介在させた状態で、そのリング体を前記中間取付体に装着してある点にあり、その作用効果は次の通りである。
【００１３】
〔作用効果〕
固定側に属する元竿と回転側の回転操作体との間に位置して、リング体で元竿と回転操作体とが直接接触することを抑制しながら、元竿と中間取付体とを固着するのに接着剤等を使用した場合に、接着剤が回転操作体側に入り込むのをこのリング体で阻止することができる。
【００１４】
〔構成〕
請求項４に係る発明の特徴構成は、前記中間取付体における前記元竿の竿尻端部内に内嵌される外周面に、竿軸線方向に平行な凹入溝を、周方向の複数箇所に亘って形成するとともに、前記周方向に沿った環状凹入溝を前記竿軸線方向の複数箇所に形成してある点にあり、その作用効果は次の通りである。
【００１５】
〔作用効果〕
竿軸線方向に平行な凹入溝と周方向に沿った環状凹入溝とを複数箇所に亘って形成することによって、中間取付体における元竿を取り付ける部分を撓み変形し易いものに構成することができ、元竿の竿尻端部内に内嵌する際に中間取付体の凹入溝を形成した外周面が変形して挿入しやすくなる。挿入後はその変形状態が復帰するので、中間取付体の凹入溝を形成した外周面が元竿の内周面に圧接し、中間取付体と元竿との内嵌状態がシッカリする。
【００１６】
しかも、竿軸線方向に平行な凹入溝と周方向に沿った環状凹入溝は伴に元竿の内周面に接触することはないので、例えば、中間取付体の外周面の全面を元竿の内周面に当接させる意図を持って中間取付体の外周面の全面を平坦な外周面に形成した場合に比べて、却って、竿軸線方向に平行な凹入溝と周方向に沿った環状凹入溝以外の部分が元竿の内周面に強く圧接することとなり、内嵌状態が強固になる。
この理由は、中間取付体の外周面の全面を元竿の内周面に当接させる意図を持って中間取付体の外周面の全面を平坦な外周面に形成したとしても、外周面の全面を均一に当接させることは容易なことではなく、精密な加工を必要として過剰な品質となる虞もあるが、竿軸線方向に平行な凹入溝と周方向に沿った環状凹入溝とを形成することによって、全面に亘る精密加工は必要ではなく、竿軸線方向に平行な凹入溝と周方向に沿った環状凹入溝以外の部分を所期通りに製造するだけでよく、製造上の負担を軽減できる。
【図面の簡単な説明】
【００１７】
【図１】回転操作体を直接元竿の竿尻端部に装着した尻栓取付構造を示す縦断側面図である。
【図２】回転操作体を摘み尻栓に圧接させて、回転操作体と尻栓とを一体で回転操作する状態を示す縦断側面図である。
【図３】回転操作体と尻栓とを、元竿の竿尻端部に取り付ける前の状態を示す分解斜視図である。
【図４】元竿に中間取付体を取り付け、その中間取付体に回転操作体と尻栓とを取り付けた状態を示す縦断側面図である。
【図５】元竿にリング体、中間取付体、回転操作体、尻栓を取り付ける前の状態を示す分解縦断側面図である。
【発明を実施するための形態】
【００１８】
〔第１実施形態〕
磯竿等に使用される釣り竿Ａの構成について説明する。図１〜図３に示すように、元竿１の竿尻端部１Ａに回転操作体２を装着し、回転操作体２の内部に位置する状態で尻栓３を螺着して、釣り竿Ａを構成してある。
【００１９】
図１〜図３に示すように、元竿１の竿尻端部１Ａの外周面に環状の凹入装着溝１ａを形成するとともに、凹入装着溝１ａの竿尻側に環状の壁部１ｂを形成してある。
回転操作体２は、弾性体としての軟質合成ゴムで形成されており、軟質合成ゴム製の円筒状部材である。回転操作体２の内周面には、外周面に向けて入り込む環状の係合凹入溝２ａが形成してあり、その係合凹入溝２ａの先側には環状の係合突部２Ａが形成され、係合凹入溝２ａの元側には環状の圧接部２Ｂが形成されている。
【００２０】
図１に示すように、回転操作体２の環状の係合突部２Ａの内径Ｄ２は、元竿１の係合凹入溝２ａの底径Ｄ１よりやや大きく形成されており、元竿１の環状の壁部１ｂの外径Ｄ３より小さく形成されている。
以上のように、環状の壁部１ｂの外径Ｄ３より小径の係合突部２Ａを元竿１の竿尻端部１Ａに装着するには、次ぎのような操作を行うことが必要である。
【００２１】
つまり、回転操作体２の係合突部２Ａを竿尻端部１Ａの環状の壁部１ｂの面取り部１ｆに竿尻側から強く押し付けながら、竿先側に向けて押し込み操作することによって、係合突部２Ａが弾性変形しながら環状の壁部１ｂを乗り越えて係合凹入溝２ａ内に入り込み、回転操作体２が竿尻端部１Ａに装着される。
回転操作体２が竿尻端部１Ａに装着された状態で竿尻端部１Ａの各部との間に微小な間隙が保持されているので、回転操作体２は自由回転可能である。
【００２２】
尻栓３について説明する。図１〜図３に示すように、尻栓３は合成樹脂製であり、竿先側の本体部の外周面には雄ねじ部３ａが形成してあり、内部に空間が形成されるとともに、雄ねじ部３ａの竿尻端側に大径の摘み部３Ａが形成されている。大径の摘み部３Ａの竿尻側端面には、コイン等の適当な操作具を装入するすり割り状の差込穴部３ｂが形成されている。差込穴部３ｂは、竿尻側端面を竿先側に向けて膨出形成した袋状の穴部であり、この袋状の穴部の竿先側に位置する奥側壁部３ｄに排水用の孔３ｃが設けてある。雄ねじ部３ａの竿尻側端部にＯリング６が装着してある。
【００２３】
次に、尻栓３の取付構造について説明する。図１〜図３に示すように、竿尻端部１Ａの内周面に開口から内部に向けて一定範囲に亘って雌ねじ部１ｃを形成する。一方、尻栓３の外周面には、先側に雄ねじ部３ａが形成されるとともに、雄ねじ部３ａより元側に雄ねじ部３ａより大径の摘み部３Ａが形成してある。
【００２４】
尻栓３を竿尻端部１Ａの内周面に螺着した状態で、尻栓３の大径の摘み部３Ａの外周面が回転操作体２の環状の圧接部２Ｂの内周面に接触する状態ではないが、近接する状態に配置される。尻栓３における摘み部３Ａの根元部位にはＯリング６が装着してあり、尻栓３を元竿１の竿尻端部１Ａに螺着した際に、Ｏリング６が元竿１の竿尻端１ａと摘み部３Ａの根元部位に圧接されて、尻栓３に緩み止め効果をもたらす。
【００２５】
以上のように、尻栓３を元竿１の竿尻端部１Ａに装着した状態で、尻栓３は、回転操作体２の内部空間内に位置してその回転操作体２で被覆されている。
このことによって、尻栓３が直接釣り人や他物と接触することはなく、不測に回転されて、元竿１から脱落することが阻止される。
【００２６】
一方、図２に示すように、竿尻端部１Ａに取り付けられた状態で自由回転状態にある回転操作体２の元側部分を摘んで圧縮力を加えて、環状の圧接部２Ｂを尻栓３の大径の摘み部３Ａに圧接させる。圧接状態を維持する為に、回転操作体２の元側部分を摘みながら、回転操作体２と尻栓３とを一体で回転させることによって、尻栓３の脱着を行うことができる。
【００２７】
〔第２実施形態〕
図４及び図５に示すように、元竿１の竿尻端部１Ａに、中間取付体４を内嵌装着するとともに、中間取付体４に尻栓３と回転操作体２とを取り付け、元竿１の竿尻端１ａと中間取付体４の後記する環状鍔部４Ａとの間にリング体５を装着して、尻栓３の取付構造を構成してある。
【００２８】
中間取付体４の構造について説明する。図４及び図５に示すように、中間取付体４は、合成樹脂製の筒状体であり、竿先側に元竿１を外嵌装着する小外径の装着部４Ｂと、装着部４Ｂの竿尻側に大径の環状鍔部４Ａと、環状鍔部４Ａの竿尻側に回転操作体２を取り付けるための凹入装着溝４Ｃと、凹入装着溝４Ｃの更に竿尻側に回転操作体２の取付状態を維持する環状の壁部４Ｄとが形成されて構成されている。環状の壁部４Ｄの竿尻端には面取り部４ｆが形成してあり、回転操作体２を嵌合する際の操作性を向上させる構成を採っている。尚、回転操作体２を中間取付体４に装着する方法は、第１実施形態で記載した、回転操作体２を元竿１の竿尻端部１Ａに装着する方法と同一である。
【００２９】
中間取付体４の装着部４Ｂに対応する内周面側には大径の内部空間４Ｅが形成してあり、内部空間４Ｅの後方側には、尻栓３を螺着する為の雌ねじ部４ａを形成した小径の貫通孔４Ｆが形成してある。
この大径の内部空間４Ｅには、竿受け用の座ゴム（図示せず）が装入されるものであり、内部空間４Ｅの入口部位に座ゴムが装入される際のガイド面となる傾斜面４ｅが形成してある。
【００３０】
中間取付体４の装着部４Ｂについて説明する。図４及び図５に示すように、装着部４Ｂは、内側に大径の内部空間４Ｅが形成してあり、薄肉の筒状体に形成されている。装着部４Ｂの外周面には、竿軸線方向に平行な凹入溝４ｂを、周方向の複数箇所（６箇所）に亘って形成してあり、凹入溝４ｂは、装着部４Ｂの竿先端で切欠部４ｃに連通している。
【００３１】
このように、薄肉の筒状体の表面に凹入溝４ｂを形成することによって、中間取付体４が合成樹脂製である点と相俟って、装着部４Ｂは、径方向に弾性変形可能なものとなっており、装着部４Ｂに元竿１の外嵌装着する際に、その装着部４Ｂが多少弾性変形して、元竿１の装着状態が緊密なものとなる。
また、凹入溝４ｂが切欠部４ｃに連通されており、装着部４Ｂの竿先端に切欠部４ｃが複数箇所に亘って形成してあるので、装着部４Ｂの竿先端も径方向に弾性変形し易い構成となっている。そうすると、元竿１の竿尻端１ａを装着部４Ｂの竿先端に当てがい元竿１を装着部４Ｂに装入していく際に、その装着部４Ｂの竿先端が弾性的に変形して、元竿１を装入することが無理なく行える。
【００３２】
装着部４Ｂの外周面に、周方向に沿った環状凹入溝４ｄを竿軸線方向の複数箇所に設けてある。このように、装着部４Ｂの外周面より凹入する環状凹入溝４ｄを形成することによって、環状凹入溝４ｄ以外の部分が元竿１の内周面に圧接しやすくなる。
【００３３】
作用効果の項でも記載したように、装着部４Ｂの外周面の全面を元竿１の竿尻端部１Ａの内周面に接触させる構成を採るよりも、環状凹入溝４ｄを元竿１の内周面の部分に圧接させる構成の方が、却って、圧接状態が良好である。
【００３４】
以上のように、装着部４Ｂが合成樹脂製の薄肉筒状体であり、かつ、外周面に凹入溝４ｂ、切欠部４ｃ、環状凹入溝４ｄを形成することによって、元竿１を装着部４Ｂに外嵌する際に、嵌合操作し易く装着状態も安定したものにできる。
尚、装着部４Ｂとそれに外嵌される元竿１の内周面との間には、接着剤が塗布されている。
【００３５】
中間取付体４の環状鍔部４Ａと、この環状鍔部４Ａに近接する元竿１の竿尻端１ａとの間には、金属製のリング体５が介在されている。リング体５は、リング状の本体部５Ａの一端に内向きの鍔部５Ｂが屈曲形成されている。リング体５を鍔部５Ｂが竿先側に位置する状態で竿尻側の開口５Ｃから装着部４Ｂに外嵌して装入し、リング状の本体部５Ａを中間取付体４の環状鍔部４Ａの外周面に外嵌する状態でかつ本体部５Ａの外周面が元竿１の外周面と面一状態になる状態で配置する。
【００３６】
装着部４Ｂと環状鍔部４Ａとに亘って装着されたリング体５は、鍔部５Ｂの内端５ｂが環状鍔部４Ａの根元部に近接する状態にまで延設されており、リング状の本体部５Ａの竿尻端５ａが環状鍔部４Ａの外周面における竿尻端より更に竿尻側に突出する状態で、中間取付体４に装着してある。
リング体５の鍔部５Ｂの内端５ｂが環状鍔部４Ａの根元部に近接する状態にまで延設されているので、この内端５ｂで接着剤が環状鍔部４Ａ側に流れ出てくるのを阻止し、リング体５自体で回転操作体２に接着剤の影響が出るのを阻止する構成を採っている。
【００３７】
回転操作体２について説明する。図４及び図５に示すように、回転操作体２は、中間取付体４の凹入装着溝４Ｃに嵌入係合する環状の係合突部２Ａと、中間取付体４の環状の壁部４Ｄに嵌入係合する環状の係合凹入溝２ａと、環状の圧接部２Ｂを形成してあるのは、第１実施形態において記載した元竿１の竿尻端部１Ａに形成したものと同一である。
しかし、この中間取付体４に装着される回転操作体２においては、外周面２Ｃと竿先側端面２Ｄとが交わる竿先側角部に、段差部２ｂを形成してある。この段差部２ｂに、前記したリング体５の本体部５Ａにおける中間取付体４の環状鍔部４Ａの外周面の竿尻端から突出する部分５ａを嵌め込み載置するように構成する。
【００３８】
このように、リング体５における回転操作体２に向けて突出する部分５ａを回転操作体２の段差部２ｂ内に突出係合させることによって、自由回転可能な回転操作体２の振れ止め構成を採っている。
また、回転操作体２の外周面には、周方向に沿って複数個の突部状の指掛け部２ｃが設けてあり、回転操作し易くなっている。
なお、尻栓３については、図３及び図４に示すように、尻栓３については第1実施形態について説明したものと同様の構成を採っているので、ここでは説明を省略する。
【００３９】
〔別実施形態〕
（１）  リング体５は元竿１の竿尻端１ａと接着固定してもよく、或いは、接着固定せずに、中間取付体４の環状鍔部４Ａと元竿１との間に位置させるだけであってもよい。また、他の方法によって、回転操作体２への接着剤の流入が阻止できれば、リング体５は使用しなくともよい。
【００４０】
（２）  中間取付体４の装着面４Ｂに、凹入溝４ｂや環状凹入溝４ｄを設けなくともよい。
【００４１】
（３）  中間取付体４の装着面４Ｂには、凹入溝４ｂや環状凹入溝４ｄではなく、竿軸
線方向に沿った突条や周方向に沿った環状突条であってもよい。このように突条に構成すると、突条自体の弾性倒れ変形力を期待でき、元竿の内周面に圧接する圧接力を高めることができる。
【産業上の利用可能性】
【００４２】
本願発明は、磯竿等に限定されるものではなく、外付けガイド竿、ガイド無し竿、中通し竿の尻栓３の取付構造に採用可能である。
【符号の説明】
【００４３】
１      元竿
１Ａ    竿尻端部
２      回転操作体
３      尻栓
４      中間取付体
４ｂ    凹入溝
４ｄ    環状凹入溝
５      リング体
【図１】
2011030510.tif 000003
【図２】
2011030510.tif 000004
【図３】
2011030510.tif 000005
【図４】
2011030510.tif 000006
【図５】
2011030510.tif 000007